(57)【要約】【課題】  歯列への装着、除去が容易で、しかも治療の進行に確実に対応できる歯列矯正装置を提供すること。【解決手段】  アタッチメントを歯列の各歯に固定し、アタッチメント間に作用させた矯正力で歯列を矯正する歯列矯正装置において、アタッチメントを、歯に固定する基部と、矯正力が付加される作用部とから構成し、基部と作用部とを着脱自在として歯列矯正装置を構成した。  これにより、歯へは基部のみを接着し、基部に対して任意の種類の作用部を取り付け、また随時交換することができるので、基部の歯への接着が容易となり、しかも治療途中で作用部を適宜交換できるため、常に最適な矯正力を歯列に付与することができる。【選択図】  図１
2005034435.tif 000002
【特許請求の範囲】
【請求項１】
歯列の各歯にアタッチメントを固定して歯列の矯正を行う歯列矯正装置において、
前記歯に固定する基部と、該基部に着脱自在に固定される作用部とから前記アタッチメントを構成したことを特徴とする歯列矯正装置。
【請求項２】
前記作用部に主線を把持させ、該主線による矯正力を用いて前記歯列を矯正することを特徴とした請求項１に記載の歯列矯正装置。
【請求項３】
前記作用部に樹脂部材を取り付け、該樹脂部材による矯正力を用いて前記歯列を矯正することを特徴とした請求項１に記載の歯列矯正装置。
【請求項４】
前記基部を、前記歯の表面に接着して固定することを特徴とした請求項１〜３のいずれか１項に記載の歯列矯正装置。
【請求項５】
前記基部を、前記歯に取り付けた帯状部材の表面に固定することを特徴とした請求項１〜３のいずれか１項に記載の歯列矯正装置。
【請求項６】
前記基部に、該基部を覆うカバーを着脱自在に取り付けることを特徴とした請求項１〜５のいずれか１項に記載の歯列矯正装置。
【請求項７】
前記基部に取り付けられる取付部を有し、該取付部を前記基部に取り付けて該基部を前記歯から除去することとした除去装置を備えたことを特徴とする請求項１〜６のいずれか１項に記載の歯列矯正装置。
【請求項８】
前記基部に、矯正した歯列が矯正前に戻ることを防止するリテーナーを固定させることとした請求項１〜７のいずれか１項に記載の歯列矯正装置によるリテーナーの固定方法。
【請求項９】
前記基部に係止部を取り付け、前記リテーナーを前記係止部に取り付けて固定することとした請求項８に記載の歯列矯正装置によるリテーナーの固定方法。
【発明の詳細な説明】
【技術分野】
【０００１】
本発明は、歯列への装着、交換が容易で、かつ歯列に確実な矯正力を付与できる歯列矯正装置に関する。
【背景技術】
【０００２】
歯列矯正装置は、ブラケットやチューブなどのアタッチメントを歯の表面に直接、あるいは歯に取り付けたバンド等を介して固定し、各アタッチメントに金属製の主線（以下、ワイヤーと呼ぶ。）を順次把持させ、ワイヤーの張力等を利用して各歯に矯正力を与えて歯列を所望の配列に矯正する装置である。
【０００３】
このワイヤーとアタッチメントとは、それらの組み合わせにより、例えば歯を前に引き出したり、回転を行わせるなど各歯を所望の状態に変化、移動させるように歯に所定の力を付与する。このように歯に加えられる力は、歯並びの状態により歯ごとに異なるため、アタッチメントは多数の種類が予め用意してあり、各歯に最適なものを選択し、そしてその歯の所定の位置に所定の角度でアタッチメントを接着して所望の力が歯にかかるようにしていた。（例えば特許文献１参照。）。
【０００４】
【特許文献１】特開平１１−２０６７８４号公報。
【発明の開示】
【発明が解決しようとする課題】
【０００５】
しかしながら従来は、強力な接着剤を塗布したり、電気溶接を用いてアタッチメントを固定していたため、固定したアタッチメントを歯やバンドから取り外すことは容易でなかった。そのため、アタッチメントを再度接着することが無いよう、位置や角度を合わせて慎重に接着や溶接作業を行わなければならなかった。
【０００６】
また、矯正治療が進むと歯が移動するので、当初設定した矯正力を変更する必要が生じる。そのような場合でも、既に接着したアタッチメントの種類を変更したり、その取付位置や角度等を変更することはできないことから、ワイヤーを複雑に屈曲させ、移動した歯に所望の方向への力が加えられるようにしていた。
【０００７】
更に例えば治療が進むにつれて矯正力を付与する必要がなくなった後でも、当初接着したアタッチメントは容易に取り外すことができず、既に不要となったアタッチメントをそのまま使用しなければならなかった。
【０００８】
本発明は、歯列への装着、交換等が容易で、しかも矯正中に生じる歯列の変動に容易に対応できる歯列矯正装置を提供することを目的とする。
【課題を解決するための手段】
【０００９】
本発明は上記課題を解決するため、歯列矯正装置を次のように構成した。
【００１０】
請求項１に記載の発明は、歯列の各歯にアタッチメントを固定して歯列の矯正を行う歯列矯正装置において、歯に固定する基部と、基部に着脱自在に固定される作用部とからアタッチメントを構成したことを特徴とする歯列矯正装置。これにより、基部の接着状態にかかわらず、作用部を選択して基部に取り付けることにより歯に所望の作用力を生じさせることができるので、接着作業が容易になる。
【００１１】
矯正中に歯列が変動しても、作用部を基部から外し、他の作用部に交換できるので、ワイヤーを無理に屈曲させることなく、常に最適な矯正力を各歯に付与できる。歯列矯正装置を基部から取り外して、歯列矯正装置や口内を清掃でき衛生を保つことができる。
【００１２】
請求項２に記載の発明は、請求項１に記載の発明において、作用部に主線を把持させ、主線による矯正力を用いて歯列を矯正することとした。
【００１３】
請求項３に記載の発明は、請求項１に記載の発明において、作用部に樹脂部材を取り付け、樹脂部材による矯正力を用いて歯列を矯正することとした。
【００１４】
請求項４に記載の発明は、請求項１〜３のいずれか１項に記載の発明において、基部を、歯の表面に接着して固定することとした。
【００１５】
請求項５に記載の発明は、請求項１〜３のいずれか１項に記載の発明において、基部を、歯に取り付けた帯状部材の表面に固定することとした。
【００１６】
請求項６に記載の発明は、請求項１〜５のいずれか１項に記載の発明において、基部に、基部を覆うカバーを着脱自在に取り付けることとした。これにより、歯列矯正装置を一時的に外したときに基部にカバーして基部を目立たなくでき、また作用部を取り外した基部の連結部をカバーにより保護することができる。
【００１７】
請求項７に記載の発明は、請求項１〜６のいずれか１項に記載の発明において、基部に取り付けられる取付部を有し、取付部を基部に取り付けて基部を歯から除去することとした除去装置を備えることとした。これにより、基部を容易に歯から除去することができる。
【００１８】
請求項８に記載の発明は、請求項１〜７のいずれか１項に記載の発明において、基部に、矯正した歯列が矯正前に戻ることを防止するリテーナーを固定させることとして歯列矯正装置によるリテーナーの固定方法を構成した。これにより、矯正後の歯列を、歯列矯正装置を用いてリテーナーを固定し、確実に保定できる。
【００１９】
請求項９に記載の発明は、請求項８に記載の発明において、基部に係止部を取り付け、リテーナーを係止部に取り付けて固定することとした歯列矯正装置によるリテーナーの固定方法。
【発明の効果】
【００２０】
本発明の歯列矯正装置によれば、次のような効果を有している。
【００２１】
基部接着時に、基部の位置や向き等に考慮する必要があまりないので、基部を歯に容易に接着できる。把持部を任意に選択して取り付けることができ、また矯正中において把持部を容易に変更できることから、矯正による歯列の変化を考慮することなく、常に取り付け時点での最善の把持部を選択して用いることができる。また把持部を取り替えることにより、ワイヤーを複雑に折り曲げる必要がなくなり、ワイヤーを直線状に張り渡すことができる。
【００２２】
矯正中に把持部が破損したり、変形しても基部が正常に接着されていれば、新しい把持部に容易に交換できる。
【００２３】
基部に位置決め用の目盛り板を取り付けて接着することにより、基部の位置決めが容易、かつ確実になり、接着作業が簡易になる。
【００２４】
基部に取り外し用の治具を取り付けて取り外すことにより、基部を容易に取り外すことができる。
【００２５】
把持部を取り外した基部にリテーナーを固定することができ、これにより、リテーナーの装着を確実にし、また簡易な構成のリテーナーで矯正後の歯列を確実に保定することができる。
【発明を実施するための最良の形態】
【００２６】
本発明にかかる歯列矯正装置の一実施形態を、図面を参照しながら説明する。
【００２７】
歯列矯正装置２（以下、矯正装置２とする。）は、図９に示すようにアタッチメント４と金属製の主線６（以下、ワイヤー６とする。）を主な構成部材とし、その他バンド８（図１０参照）やワイヤー６をアタッチメント４に固定する結さつゴム等からなっている。
【００２８】
アタッチメント４は、図１、図２に示すように歯１の表面に接着される基部３と、基部３に組み付けられる把持部５からなっている。
【００２９】
基部３は、金属あるいはセラミック等からなり、若干湾曲した板状の基台７の表面に連結具９が形成されている。連結具９は、図３に示すように基台７側を狭くした台形状の断面で、長手方向の一端に左右に開拡された係止部１１が形成され、更に嵌合部１３が設けられている。
【００３０】
把持部５は、表側にワイヤー６を把持する把持具１５が形成してあり、裏面に連結具９に連結される台形状の凹部からなる連結溝１７、及び嵌合部１３に嵌合する嵌合穴１９を備えている。尚、図４に示すように、基部３に基台７を設けず、直接歯１に基部３を接着してもよい。また、連結溝１７の形状は台形でなく、図５に示すように矩形であってもよく、また嵌合部１３を連結溝１７側に設けてもよい。
【００３１】
更に、把持具１５は図に示すものに限るものではなく、従来用いられているあらゆる種類のものを利用できる。また、ワイヤー６でなく、ゴムや樹脂材等を用いて歯１に矯正力を付与するものでもよい。このように連結溝１７など基部３に連結される側が同一で把持具１５が異なる把持部５が、予め多数用意されている。
【００３２】
次に、矯正装置２を歯列に装着する手順について説明する。
【００３３】
まず基台７の裏面（接着面）に接着剤を塗布し、図１２に示す位置決め用の目盛り板３５の連結溝１７に基部３を嵌合する。位置決め用の目盛り板３５は、歯１の上端や下端、あるいは側端などの基準となる基準線３６が形成されており、基準線３６を歯１に合わせると、標準的な位置、例えば歯１の中央部分に基部３が取り付けられるように構成されている。
【００３４】
また目盛り板３５は標準的な位置のみならず、歯１の他の所望の位置に基部３を配置するように形成してもよい。
【００３５】
基部３を歯１に接着したなら、接着した基部３から目盛り板３５を取り外す。そして同様に新たな基部３を歯１に接着する。
【００３６】
図６、図７に示すように歯列の各歯１にそれぞれ基部３を接着したなら、歯１に付与する矯正力の種類、強度等を考慮して把持部５を選択し、それぞれの基部３に取り付ける。把持部５の裏面には連結溝１７が形成してあるので、図７、図８に示すように連結具９に連結溝１７を連結するだけで把持部５を容易に取り付けられる。更に嵌合片１９が嵌合部１３に嵌合し、把持部５が基部３に確実に固定される。
【００３７】
尚、基部３を図１０に示すように臼歯である歯１に巻き付け取り付けるバンド８に固定してもよい。この場合ろう付けや溶接等を用いて基部３をバンド８に固定する他、接着剤によって基部３をバンド８に接着したり、バンド８自体に加工して基部３を成形してもよい。バンド８を用いた場合は、例えば連結溝１７を備えたチューブ２３をバンド８に固定して、ワイヤー６の左右端部をチューブ２３に固定させる。
【００３８】
図８、図９に示すように全ての基部３に把持部５を取り付けたなら、ワイヤー６を把持部５に取り付ける。各把持部５には、矯正に応じた把持具１５が備えられているので、ワイヤー６を結さつゴム等により把持具１５に把持させることにより所定の矯正力が生じる。
【００３９】
このようにアタッチメント４を、歯１に直接接着する基部３と、基部３に着脱自在に取り付けられる把持部５とから構成したので、各歯に必要とされる矯正力の種類や大きさ等にかかわらずほぼ同一の条件で基部３を歯１に接着できる。また把持部５を多数の種類の中から任意に選択できることから、歯列の矯正に最も適した矯正装置２を構成することができる。
【００４０】
また、治療の進行に伴って歯１への矯正力の種類や大きさなどが変化し、歯１に既に取り付けられている把持部５では対応が困難になったときは、基部３から把持部５を取り外し、新たな把持部５を選択して基部３に付けワイヤー６を把持させる。これにより常に最適な矯正力を歯１に付与することができ、また不適合なアタッチメントに合わせるための無理なワイヤー６の屈曲がなくなる。
【００４１】
更に、把持部５が破損した場合には、破損した把持部５を基部３から取り除き、新規の把持部５を基部３に取り付ける。また、矯正装置２に汚れが生じた場合には、基部３から矯正装置２をワイヤー６を付けた状態で取り外し、矯正装置２や歯等を清掃した後把持部５を基部３に取り付け矯正装置２を再度装着することができる。
【００４２】
尚、基部３及び把持部５は金属製であっても、あるいはセラミック製であってもよく、双方の材質は問わない。また金属製の基部３にセラミック製の把持部５を取り付けることやその逆の組み合わせでもよい。
【００４３】
歯列矯正装置の他の例について説明する。この例は、樹脂で形成した矯正具を用いる。矯正具は、例えば矯正する患者の歯列から採取した歯型に加工を行い、矯正後の所望の歯列を有する歯形を形成する。そして、かかる歯型から所望の歯列を有する矯正具を樹脂を用いて作成する。
【００４４】
また、各歯１には基部３を上記したと同様に固定し、基部３に突起などの係合部を取り付ける。矯正具には係合部に嵌合する凹部を、係合部と凹部とが嵌合すると矯正具の歯列が矯正後の歯列を形成するように設ける。
【００４５】
そして、基部３に係合部を取り付け、かかる係合部に凹部を組み合わせながら矯正具を装着する。すると、所望の歯列からずれた歯には矯正具から矯正力が作用し、ずれた状態にある歯が所望の状態に矯正される。また、かかる矯正具による矯正を、ワイヤーを用いた矯正装置による矯正を行った後に同一の基部３を用いて行ってもよい。また、その逆の順序でもよい。
【００４６】
また矯正した歯１が矯正前の状態に戻らないように歯列を保定するリテーナーを基部３に保持させてもよい。リテーナーは、金属線、あるいは樹脂で矯正後の歯列に合致するよう形成してある。
【００４７】
例えば矯正装置による歯列の矯正が終了した後、全ての把持部５を基部３から取り外し、歯１に残した基部３にリテーナーを固定する。すると、リテーナーが基部３により固定され、ずれが発生することがなく矯正した歯１を確実に保定できる。
【００４８】
また、リテーナーを基部３に直接取り付けるのではなく、突起や係合部などを形成した把持部５を基部３に取り付け、把持部５の形状に合わせた凹部等をリテーナーに形成し、把持部５を介してリテーナーを装着するようにしてもよい。
【００４９】
更に基部３を歯１から除去する除去装置３０を図１１に示すように構成してもよい。これは、例えばハンドル部３１の先端に、連結具６に嵌合する連結溝１７を設け、基部３に取り付けた除去装置３０のハンドル部３１を手で握り、除去装置３０に力を加える。すると、歯列の矯正治療が終了したときや再接着するときなどに、基部３を歯１から容易に取り外すことができる。
【００５０】
尚、上記例では基部３に連結具９を設けたが本発明では、連結具９及び連結溝１７はこれに限るものではない。例えば図１３に示すように、基部３に断面台形状の連結溝１７を備え、作用部５に断面台形状の連結具９を設け、歯１に固定した基部３に作用部５を取り付けるようにしてもよい。更に、連結溝１７等の断面形状は断面台形状に限らず他の形状であってもよい。また、連結溝１７の挿し込み方向は歯１の上下方向のみならず、特に奥歯の場合等では歯の横方向から挿し入れるようにしてもよい。
【図面の簡単な説明】
【００５１】
【図１】本発明にかかるアタッチメントの一実施形態を示す分解斜視図である。
【００５２】
【図２】本発明にかかるアタッチメントの一実施形態を示す分解斜視図である。
【００５３】
【図３】連結具を示す図である。
【００５４】
【図４】連結具を示す図である。
【００５５】
【図５】連結具を示す図である。
【００５６】
【図６】基部を示す図である。
【００５７】
【図７】アタッチメント示す図である。
【００５８】
【図８】アタッチメント示す図である。
【００５９】
【図９】矯正装置を示す図である。
【００６０】
【図１０】バンドとチューブを示す図である。
【００６１】
【図１１】除去装置を示す図である。
【００６２】
【図１２】目盛り板を示す図である。
【００６３】
【図１３】連結溝の他の例を示す図である。
【符号の説明】
【００６４】
１  ；  歯
２  ；  歯列矯正装置
３  ；  基部
４  ；  アタッチメント
５  ；  把持部
６  ；  ワイヤー
７  ；  基台
８  ；  バンド
９  ；  連結具
１１；  係止部
１３；  嵌合部
１５；  把持具
１７；  連結溝
１９；  嵌合穴
２３；  チューブ
３０；  除去装置
３１；  ハンドル部
３５；  目盛り板
３６；  基準線
【図１】
2005034435.tif 000003
【図２】
2005034435.tif 000004
【図３】
2005034435.tif 000005
【図４】
2005034435.tif 000006
【図５】
2005034435.tif 000007
【図６】
2005034435.tif 000008
【図７】
2005034435.tif 000009
【図８】
2005034435.tif 000010
【図９】
2005034435.tif 000011
【図１０】
2005034435.tif 000012
【図１１】
2005034435.tif 000013
【図１２】
2005034435.tif 000014
【図１３】
2005034435.tif 000015